(57)【特許請求の範囲】
【請求項１】
１の入出力端と複数の入出力端との間で光信号を合分岐する光伝送路の前記１の入出力端に接続され、前記光伝送路の前記複数の入出力端に接続された加入者側終端装置（ＯＮＵ：Ｏｐｔｉｃａｌ  Ｎｅｔｗｏｒｋ  Ｕｎｉｔ）からのＦＥＣ（Ｆｏｒｗａｒｄ  Ｅｒｒｏｒ  Ｃｏｒｒｅｃｔｉｏｎ）符号化された上りバースト信号を光から電気へ変換する複数のインターフェースと、
複数の前記インターフェースと接続し、前記インターフェースで電気に変換された前記上りバースト信号からペイロード部分に含まれるデータを取り出し、複数の前記データを時分割多重して１本又は２本以上の配線に出力する集線部と、
前記集線部が前記データを時分割多重するときに１の前記光伝送路からの前記上りバースト信号に含まれる前記データの直前が他の前記光伝送路からの前記上りバースト信号に含まれる前記データである場合に、他の前記光伝送路からの前記上りバースト信号のＦＥＣコードワード部分に、１の前記光伝送路からの前記上りバースト信号のＦＥＣコードワード部分を、最大で、１の前記光伝送路からの前記上りバースト信号の前記ＦＥＣコードワード部分に含まれる全てのＦＥＣ冗長符号分の送信時間の合計Ｔｐだけ重畳させるように前記ＯＮＵの上り送信タイミングを決定するとともに、前記送信タイミングを送信許可時刻として前記ＯＮＵへ通知する制御部と、
を備える局側終端装置（ＯＬＴ：Ｏｐｔｉｃａｌ  Ｌｉｎｅ  Ｔｅｒｍｉｎａｌ）。
【請求項２】
前記集線部は、
前記インターフェースからの前記上りバースト信号の冗長符号化部分の復号を行い、前記ＦＥＣ冗長符号を除去してペイロード部分の前記データのみを出力するＰＣＳ（Ｐｈｙｓｉｃａｌ  Ｃｏｄｉｎｇ  Ｓｕｂｌａｙｅｒ）復号部と、
前記データを前記配線へ結合する多重部と、
前記ＰＣＳ複合部と前記多重部との間に配置され、前記多重部が前記データを前記配線へ結合する際に前記データの重複を回避するように前記データが前記多重部へ到着する時刻を調整するバッファと、
を有することを特徴とする請求項１に記載のＯＬＴ。
【請求項３】
前記バッファは、
他の前記光伝送路からの前記上りバースト信号のＦＥＣコードワード部分に、１の前記光伝送路からの前記上りバースト信号のＦＥＣコードワード部分が重畳している場合に、
１の前記光伝送路からの前記上りバースト信号のＦＥＣコードワード部分がＮ個（Ｎは自然数）のＦＥＣコードワードを含むとすると、
先頭からｋ番目（ｋはＮ未満の自然数）のＦＥＣコードワードに含まれるペイロードの前記データを、Ｎ番目のペイロードに対して、ｋ番目からＮ−１番目のＦＥＣコードワードに含まれるＦＥＣ冗長符号分の送信時間の合計以上の時間遅延させることを特徴とする請求項２に記載のＯＬＴ。
【請求項４】
前記バッファは、
｛(上りバースト信号１個に含まれるＦＥＣコードワード部分の最大数）−１｝×（冗長符号が含まれるパリティ部１個あたりのビット数）に任意ビット数を加えた容量であることを特徴とする請求項２に記載のＯＬＴ。
【請求項５】
請求項１から３のいずれかに記載のＯＬＴと、
前記ＯＬＴの前記インターフェースが接続される前記１の入出力端と前記複数の入出力端との間で光信号を合分岐する前記光伝送路と、
前記光伝送路の前記複数の入出力端に接続されたＯＮＵと、
を備える通信システム。
【請求項６】
複数の光伝送路からのＦＥＣ符号化された複数の上りバースト信号を光から電気に変換し、電気に変換された前記上りバースト信号からペイロード部分に含まれるデータを取り出し、多重部で複数の前記データを時分割多重して１本又は２本以上の配線に出力する際に、
１の前記光伝送路からの前記上りバースト信号に含まれる前記データの直前が他の前記光伝送路からの前記上りバースト信号に含まれる前記データである場合に、他の前記光伝送路からの前記上りバースト信号のＦＥＣコードワード部分に、１の前記光伝送路からの前記上りバースト信号のＦＥＣコードワード部分を、最大で、１の前記光伝送路からの前記上りバースト信号の前記ＦＥＣコードワード部分に含まれる全てのＦＥＣ冗長符号分の送信時間の合計だけ重畳させるように前記上りバースト信号を送信するＯＮＵの上り送信タイミングを決定する送信制御方法。
【請求項７】
前記データを前記配線へ結合する際に前記データの重複を回避するように前記データが前記多重部へ到着する時刻をバッファで調整することを特徴とする請求項５に記載の送信制御方法。
【発明の詳細な説明】
【技術分野】
【０００１】
本発明は、複数ＰＯＮ（Ｐａｓｓｉｖｅ  Ｏｐｔｉｃａｌ  Ｎｅｔｗｏｒｋ）を収容し、全加入者側終端装置（ＯＮＵ：Ｏｐｔｉｃａｌ  Ｎｅｔｗｏｒｋ  Ｕｎｉｔ）の上り送信タイミングを制御する局側終端装置（ＯＬＴ：Ｏｐｔｉｃａｌ  Ｌｉｎｅ  Ｔｅｒｍｉｎａｌ）、そのＯＬＴを備える通信システム及びその送信制御方法に関するものである。
【背景技術】
【０００２】
図１は、現在のアクセスネットワークの構成例である。現在のアクセスネットワークは、ＰＯＮ１１とＬ２ＳＷ（Ｌａｙｅｒ２  Ｓｗｉｔｃｈ）１２で構成される。ＰＯＮ１１は、複数のＯＳＵ（Ｏｐｔｉｃａｌ  Ｓｕｂｓｃｒｉｂｅｒ  Ｕｎｉｔ）１３を備えたＯＬＴ１４、ＯＮＵ１５、ファイバ（１７ａ、１７ｂ）、光スプリッタ１６により構成される。図１のアクセスネットワークは、具体的には、ファイバ（１７ａ、１７ｂ）を介して光スプリッタ１６に１つのＯＳＵ１４と複数（例えば３２個）のＯＮＵ１５を接続し、ＯＳＵ１３がＯＮＵ１５の上り送信タイミングを決定する。ＰＯＮ１１は、ＯＳＵ１３およびファイバ１７ｂを複数のＯＮＵ１５で共有するので、低コストにサービスを提供することができる。
【０００３】
Ｌ２ＳＷ１２は、ＰＯＮ１１およびコアネットワーク２０を接続するポートｐを多数備えており、ＰＯＮ１１側の各ポートｐは１本の配線１８で１つのＯＳＵ１３に接続される。Ｌ２ＳＷ１２は複数のＯＬＴ１４を収容することができる。例えば最大限にＯＬＴ１４を収容する場合は、それら全ＯＬＴ１４に収容される全ＯＳＵ１３の数と同じ数の配線１８がＬ２ＳＷ１２−ＯＬＴ１４間で結ばれることになり、Ｌ２ＳＷ１２−ＯＬＴ１４間の配線１８が複雑化するという課題がある。
【０００４】
このような課題の解決方法として、ＯＬＴに集線機能を持たせることが考えられる。図２は、集線機能付きＯＬＴ１４’を用いた系の概略図である。集線機能付きＯＬＴ１４’は、自身が収容する複数のＯＳＵ１３からＬ２ＳＷ１２への各配線を集線部３３で集線し、Ｌ２ＳＷ１２−集線機能付きＯＬＴ１４’間を例えば１本の配線１８で接続する。したがってＯＬＴ１４’は、Ｌ２ＳＷ１２−集線機能付きＯＬＴ１４’間の配線１８を図１の場合と比べてスリム化できる。
【０００５】
ただし集線機能付きＯＬＴ１４’は複数の光伝送路１０を収容するため、光伝送路１０からの上り信号が時間的に同時に集線機能付きＯＬＴ１４’に到着する場合がある。特に、集線機能付きＯＬＴ１４’への流入帯域と配線１８への流出帯域との差が大きく構築された系ほど、そのような同時到着が起きた場合、集線機能付きＯＬＴ１４’内で上り信号の大幅な送信待ちが発生する。このため、図２のようなＯＬＴ１４’はバッファ溢れによるフレームロスを防止するためにバッファを大きく設計しておく必要がある。
【０００６】
バッファの容量を予め大きく設計する必要なしに、このような状況を防ぐ方法として、各光伝送路１０における上り信号の送信タイミングを制御することが挙げられる。図３はその送信制御の一例である。異なる光伝送路１０間で互いの上り信号が時間的に重ならないようにＯＮＵ１５の上り送信タイミングを決定し、それに従ってＯＮＵ１５に上り信号を送信させることによって、複数光伝送路１０からの上り信号が同時に集線機能付きＯＬＴ１４’へ到着することを防止することができる。
【０００７】
この送信制御は、任意の時間における集線機能付きＯＬＴ１４’への流入帯域量が配線１８の帯域量を超えることを防止できる。このため、この送信制御は、上り信号が集線機能付きＯＬＴ１４’内で大幅な送信待ちすることを防止でき、バッファ溢れによるフレームロスも防ぐことができる。
【先行技術文献】
【非特許文献】
【０００８】
【非特許文献１】ＩＥＥＥ  ８０２．３ａｖ  ＣＳＭＡ／ＣＤ  Ａｃｃｅｓｓ  Ｍｅｔｈｏｄ  ａｎｄ  Ｐｈｙｓｉｃａｌ  Ｌａｙｅｒ  ＳｐｅｃｉｆｉｃａｔｉｏｎｓＡｍｅｎｄｍｅｎｔ：  Ｐｈｙｓｉｃａｌ  Ｌａｙｅｒ  Ｓｐｅｃｉｆｉｃａｔｉｏｎｓ  ａｎｄ  Ｍａｎａｇｅｍｅｎｔ  Ｐａｒａｍｅｔｅｒｓ  ｆｏｒ  １０  Ｇｂ／ｓ  Ｐａｓｓｉｖｅ  Ｏｐｔｉｃａｌ  Ｎｅｔｗｏｒｋｓ，  ７６．３．２．４〜７６．３．２．５
【発明の概要】
【発明が解決しようとする課題】
【０００９】
しかし、この送信制御を行うと、１のＰＯＮが上り信号を送信中の間、他のＰＯＮに未利用帯域が発生するため、ＰＯＮ毎のユーザあたりの帯域利用率が図１のアクセスネットワークのＰＯＮの場合と比べて低減する。
【００１０】
また、例えば、ＯＮＵが上り信号にＦＥＣ（Ｆｏｒｗａｒｄ  Ｅｒｒｏｒ  Ｃｏｒｒｅｃｔｉｏｎ）符号化を行う場合、ＦＥＣのための冗長符号（パリティ、ｐａｒｉｔｙ）が付加され、冗長符号分の帯域が上り信号に必要となる。このため、ＰＯＮにおいて上り信号の実質的な帯域利用率は低減する。
【００１１】
例えば、１０Ｇｂｐｓの伝送速度の１０Ｇ−ＥＰＯＮにおけるバースト信号では、約２１９ｂｙｔｅのデータ毎に３２ｂｙｔｅのＦＥＣパリティが付加されてできるＦＥＣコードワードを１個以上含む構成になっている（非特許文献１参考）。図４は、ＦＥＣコードワードを含むバースト信号の構成を説明する図である。このバースト信号は、先頭にレーザオン（Ｌａｓｅｒ  ｏｎ）、同期パタン（Ｓｙｎｃ  ｐａｔｔｅｒｎ）、バーストデリミタ（ｂｕｒｓｔ  ｄｅｌｉｍｉｔｅｒ）が付けられ、末尾に  ＥＯＢ（ｅｎｄ  ｂｕｒｓｔ  ｄｅｌｉｍｉｔｅｒ），レーザオフ（ｌａｓｅｒ  ｏｆｆ）が付けられる構成である。このため、ＰＯＮの帯域利用率は、バーストによるオーバヘッド（レーザオン，同期パタン，バーストデリミタ，ＥＯＢ，レーザオフ）の分および、ＦＥＣ符号化によるＦＥＣパリティの分だけ低減することになる。
【００１２】
このように、図３の送信制御を行う図２のシステムでＦＥＣ符号化を行う場合、各ＰＯＮの帯域利用率が現行のアクセスネットワークのＰＯＮと比べて低減するという課題に加えて、ＦＥＣパリティ付加に伴う帯域利用率が低減するという課題がある。
【００１３】
そこで、上記課題を解決するために、本発明は、各ＰＯＮの帯域利用率の低減を抑止できる集線機能付きのＯＬＴ、通信システム及び送信制御方法を提供することを目的とする。
【課題を解決するための手段】
【００１４】
上記目的を達成するために、本発明に係るＯＬＴは、一つのＰＯＮのバースト信号における冗長符号化分の合計の送信時間と、他の一つのＰＯＮのバースト信号におけるコードワード部分の送信時間と、を重ね合わせる送信制御をすることとした。
【００１５】
具体的には、本発明に係るＯＬＴは、１の入出力端と複数の入出力端との間で光信号を合分岐する光伝送路の前記１の入出力端に接続され、前記光伝送路の前記複数の入出力端に接続された加入者側終端装置（ＯＮＵ：Ｏｐｔｉｃａｌ  Ｎｅｔｗｏｒｋ  Ｕｎｉｔ）からのＦＥＣ（Ｆｏｒｗａｒｄ  Ｅｒｒｏｒ  Ｃｏｒｒｅｃｔｉｏｎ）符号化された上りバースト信号を光から電気へ変換する複数のインターフェースと、複数の前記インターフェースと接続し、前記インターフェースで電気に変換された前記上りバースト信号からペイロード部分に含まれるデータを取り出し、複数の前記データを時分割多重して１本又は２本以上の配線に出力する集線部と、前記集線部が前記データを時分割多重するときに１の前記光伝送路からの前記上りバースト信号に含まれる前記データの直前が他の前記光伝送路からの前記上りバースト信号に含まれる前記データである場合に、他の前記光伝送路からの前記上りバースト信号のＦＥＣコードワード部分に、１の前記光伝送路からの前記上りバースト信号のＦＥＣコードワード部分を、最大で、１の前記光伝送路からの前記上りバースト信号の前記ＦＥＣコードワード部分に含まれる全ての冗長符号化分の送信時間の合計だけ重畳させるように前記ＯＮＵの上り送信タイミングを決定するとともに、前記送信タイミングを送信許可時刻として前記ＯＮＵへ通知する制御部と、を備える。
【００１６】
本発明に係る通信システムは、前記ＯＬＴと、前記ＯＬＴの前記インターフェースが接続される前記１の入出力端と前記複数の入出力端との間で光信号を合分岐する前記光伝送路と、前記光伝送路の前記複数の入出力端に接続されたＯＮＵと、を備える。
【００１７】
本発明に係る送信制御方法は、複数の光伝送路からのＦＥＣ符号化された複数の上りバースト信号を光から電気に変換し、電気に変換された前記上りバースト信号からペイロード部分に含まれるデータを取り出し、多重部で複数の前記データを時分割多重して１本又は２本以上の配線に出力する際に、１の前記光伝送路からの前記上りバースト信号に含まれる前記データの直前が他の前記光伝送路からの前記上りバースト信号に含まれる前記データである場合に、他の前記光伝送路からの前記上りバースト信号のＦＥＣコードワード部分に、１の前記光伝送路からの前記上りバースト信号のＦＥＣコードワード部分を、最大で、１の前記光伝送路からの前記上りバースト信号の前記ＦＥＣコードワード部分に含まれる全ての冗長符号化分の送信時間の合計だけ重畳させるように前記上りバースト信号を送信するＯＮＵの上り送信タイミングを決定する。
【００１８】
本ＯＬＴは、一つのＰＯＮのバースト信号における冗長符号化分の合計の送信時間と、他の一つのＰＯＮのバースト信号におけるコードワード部分の送信時間と、を重ね合わせるため、他のＰＯＮの未利用帯域を小さくすることができる。
【００１９】
従って、本発明は、各ＰＯＮの帯域利用率の低減を抑止できる集線機能付きのＯＬＴ、通信システム及び送信制御方法を提供することができる。
【００２０】
本発明に係るＯＬＴの前記集線部は、前記インターフェースからの前記上りバースト信号の冗長符号化部分の復号を行いペイロード部分の前記データのみを出力するＰＣＳ（Ｐｈｙｓｉｃａｌ  Ｃｏｄｉｎｇ  Ｓｕｂｌａｙｅｒ）復号部と、前記データを前記配線へ結合する多重部と、前記ＰＣＳ複合部と前記多重部との間に配置され、前記多重部が前記データを前記配線へ結合する際に前記データの重複を回避するように前記データが前記多重部へ到着する時刻を調整するバッファと、を有することを特徴とする。
【００２１】
本発明に係る送信制御方法は、前記データを前記配線へ結合する際に前記データの重複を回避するように前記データが前記多重部へ到着する時刻をバッファで調整することを特徴とする。
【００２２】
本発明は、バッファがデータの配線への出力時間調整を行うことで、配線でデータが重複することを回避できる。
【００２３】
本発明に係るＯＬＴの前記バッファは、
｛（上りバースト信号１個に含まれるＦＥＣコードワード部分の最大数）−１｝×（冗長符号化部分１個あたりのビット数）
に任意ビット数を加えた容量であることを特徴とする。
【００２４】
本発明に係るＯＬＴのバッファは、図２のＯＬＴ１４’が有するバッファより容量が小さくすることができる。
【発明の効果】
【００２５】
本発明は、各ＰＯＮの帯域利用率の低減を抑止できる集線機能付きのＯＬＴ、通信システム及び送信制御方法を提供することができる。
【図面の簡単な説明】
【００２６】
【図１】アクセスネットワークを説明する図である。
【図２】アクセスネットワークを説明する図である。
【図３】送信制御の一例である。
【図４】ＦＥＣコードワードを含むバースト信号の構成を説明する図である。
【図５】本発明に係るＯＬＴを説明する図である。
【図６】本発明に係る送信制御方法を説明する図である。
【図７】本発明に係る送信制御方法を説明する図である。
【図８】本発明に係る通信システムを説明する図である。
【発明を実施するための形態】
【００２７】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとし、枝番号を付さずに説明している場合は、当該符号の全ての枝番号に共通する説明である。
【００２８】
図８は、本実施形態の通信システム３０１を説明する図である。通信システム３０１は、ＯＬＴ１４０と、複数のファイバ１７ａからＯＬＴ１４０のインターフェース３１に接続するファイバ１７ｂへ上りバースト光信号を合波する光伝送路１０と、光伝送路１０の複数のファイバ１７ａに接続されたＯＮＵ１５と、を備える。光伝送路１０は、１台のインターフェース３１がファイバ（１７ａ，１７ｂ）および光スプリッタ１６を介して複数のＯＮＵ１５を接続するネットワークである。また、本実施形態の説明では、ＯＮＵ１５からインターフェース３１までの光経路をＰＯＮ１１として説明することとする。
【００２９】
図５は、ＯＬＴ１４０を説明するブロック図である。ＯＬＴ１４０は、光伝送路１０のファイバ１７ｂに接続され、光伝送路１０のファイバ１７ａに接続されたＯＮＵ１５からのＦＥＣ符号化された上りバースト信号を光から電気へ変換する複数のインターフェース３１と、複数のインターフェース３１と接続し、インターフェース３１で電気に変換された上りバースト信号からペイロード部分に含まれるデータを取り出し、複数の前記データを時分割多重して１本又は２本以上の配線１８に出力する集線部３３と、集線部３３が前記データを時分割多重するときに１の光伝送路１０からの上りバースト信号に含まれるデータの直前が他の光伝送路１０からの上りバースト信号に含まれるデータである場合に、他の光伝送路１０からの上りバースト信号のＦＥＣコードワード部分に、１の光伝送路１０からの上りバースト信号のＦＥＣコードワード部分を、最大で、１の光伝送路１０からの上りバースト信号のＦＥＣコードワード部分に含まれる全ての冗長符号化分の送信時間の合計だけ重畳させるようにＯＮＵ１５の上り送信タイミングを決定するとともに、送信タイミングを送信許可時刻としてＯＮＵ１５へ通知する制御部３２と、を備える。
【００３０】
図５は、例として、２個の光伝送路１０と１個の配線１８を接続する集線機能付きＯＬＴ１４０である。配線１８は、例えば、ＳＮＩ（ｓｅｒｖｉｃｅ  ｎｏｄｅ  ｉｎｔｅｒｆａｃｅ）である。また、宅内装置であるＯＮＵ１５は、上り信号に冗長符号化としてＦＥＣ符号化を行ったうえでオーバヘッドを付加してバースト信号を生成し、集線機能付きＯＬＴ１４０から指示される送信許可時刻に従って、バースト信号を送信するものとする。なお本実施形態の説明では、下り信号に関わる記述及び図示を省略する。
【００３１】
集線部３３は、インターフェース３１からの前記上りバースト信号の冗長符号化部分の復号を行いペイロード部分の前記データのみを出力するＰＣＳ復号部２１と、データを配線１８へ結合する多重部２４と、ＰＣＳ複合部２１と多重部２４との間に配置され、多重部２４がデータを配線１８へ結合する際にデータの重複を回避するようにデータが多重部２４へ到着する時刻を調整するバッファ２３と、を有する。
【００３２】
インターフェース３１は、光伝送路１０からの光のバースト信号を受信し、光信号から電気信号に変換してＰＣＳ復号部２１へ出力する。
【００３３】
ＰＣＳ復号部２１は、インターフェース３１からの電気のバースト信号を受信し、それに含まれるＦＥＣ冗長符号を基に、エラーがあれば対応するペイロードのエラー箇所を修正し、ＦＥＣ冗長符号を除去してデータが含まれるペイロードのみをＰＯＮ信号処理部２２へ出力する。
【００３４】
ＰＯＮ信号処理部２２は、ＰＣＳ復号部２１からのペイロードを受信し、その中身を解読して、ＭＰＣＰ（Ｍｕｌｔｉ  Ｐｏｉｎｔ  Ｃｏｎｔｒｏｌ  Ｐｒｏｔｏｃｏｌ）フレームの場合は制御部３２へ、配線１８へ出力するデータの場合はバッファ２３へ出力する。
【００３５】
バッファ２３はＰＯＮ信号処理部２２からのデータを順次、蓄積及び出力する。
【００３６】
制御部３２は、ＰＯＮ信号処理部２２からのＭＰＣＰフレームを受信する。制御部３２は、例えば、そのフレームがレポートフレームの場合は、その内容を基に、ＯＮＵ１５への帯域割当量と送信許可時刻を決定し、そのデータをＧａｔｅフレームに格納して出力する。制御部３２から出力されたＧａｔｅフレームは、下り信号として集線機能付きＯＬＴ１４０から該当のＯＮＵ１５へ送信される。
【００３７】
多重部２４は、バッファ２３からのデータフレームを多重して配線１８へ送信する。
【００３８】
図６は、通信システム３０１が行う送信制御の一例である。Ｎ個のＦＥＣコードワードを含むバースト信号において、１個目のＦＥＣコードワードにおけるペイロードの送信開始時点からＮ個目のＦＥＣコードワードにおけるパリティの送信終了時点までを「コードワード部分」と呼ぶ。ここでは、ＰＯＮ１１−１からはコードワード部分に１個のＦＥＣコードワード（Ｃｏｄｅｗｏｒｄ１−１）が含まれるバースト信号Ｂ１が送信される。ＰＯＮ１１−２からはコードワード部分に３個のＦＥＣコードワード（Ｃｏｄｅｗｏｒｄ（２−１，２−２，２−３））が含まれるバースト信号Ｂ２が送信される。集線機能付きＯＬＴ１４０の制御部３２によるＯＮＵ１５の送信タイミング決定方法を示す。なお送信の順番は、最初にバースト信号Ｂ１が送信された後、バースト信号Ｂ２が送信され、これら二つのバースト信号がこの送信順で集線機能付きＯＬＴ１４０に到着する場合を考える。
【００３９】
ＰＯＮ１１の帯域利用率低減を抑制するために、制御部３２は、まず、バースト信号Ｂ２に含まれるＦＥＣパリティ（ｐａｒｉｔｙ（２−１、２−２，２−３）の送信時間の合計Ｔｐ
Ｔｐ＝（パリティ２−１の送信時間）＋（パリティ２−２の送信時間）＋（パリティ２−３の送信時間）
を計算する。続いて、制御部３２は、最初に送信させるバースト信号Ｂ１のコードワード部分（Ｃｏｄｅｗｏｒｄ１−１）と、その次に送信させるバースト信号Ｂ２のコードワード部分（Ｃｏｄｅｗｏｒｄ（２−１，２−２，２−３））とが、最大で、Ｔｐだけ時間的に重なりあうように、バースト信号Ｂ２を送信するＯＮＵ１５の送信タイミングを決定する。そして、制御部３２は、各ＯＮＵ１５の送信許可時刻のデータを搭載したＧａｔｅフレームを出力する。各ＯＮＵ１５はそのＧａｔｅフレームを受信し、その内容に従ってバースト信号を送信する。
【００４０】
図７は、図６に示した本送信制御をより簡単に表した概念図である。バースト信号Ｂ２におけるコードワード部分は、３個のパリティ分と３個のペイロード分の和の送信時間に等しい。そして、バースト信号Ｂ１とバースト信号Ｂ２とが重なりあう時間はちょうど３個のパリティ分である。パリティは配線１８へ出力される前に除去される。したがって、通信システム３０１は、各バースト信号に含まれていたデータを、配線１８において互いに重複せず、未利用帯域をできるだけ少ない状態で送信することができる。
【００４１】
以下、図６において全てのペイロードがデータである場合、集線機能付きＯＬＴ１４０の処理手順を具体的に示す。ただし、任意の時間におけるＰＯＮ１１−１におけるバースト信号Ｂ１およびＰＯＮ１１−２におけるバースト信号Ｂ２は、それぞれインターフェース３１での光／電気変換の処理に必要なΔｔ時間後に、ＰＣＳ復号部２１に受信されるとする。また、パリティ受信完了後における該当ペイロードの冗長符号化の復号に要する時間は、簡単化のため無視する。
【００４２】
（手順０１）
ＰＣＳ復号部２１−１が、ペイロード（ｐａｙｌｏａｄ１−１）の受信を開始する。
（手順０２）
ＰＣＳ復号部２１−１がペイロード（ｐａｙｌｏａｄ１−１）を受信中に、ＰＣＳ復号部２１−２はペイロード（ｐａｙｌｏａｄ２−１）の受信を開始する。
（手順０３）
ＰＣＳ復号部２１−１は、ペイロード（ｐａｙｌｏａｄ１−１）を受信し終わると、続いてパリティ（ｐａｒｉｔｙ１−１）の受信を開始する。
（手順０４）
ＰＣＳ復号部２１−１はパリティ（ｐａｒｉｔｙ１−１）を受信し終わると、パリティ（ｐａｒｉｔｙ１−１）を基にペイロード（ｐａｙｌｏａｄ１−１）にビットエラーがある場合は修正してから、ペイロード（ｐａｙｌｏａｄ１−１）部分だけＰＯＮ信号処理部２２−１へ送る。
（手順０５）
ＰＯＮ信号処理部２２−１は、受信したペイロード（ｐａｙｌｏａｄ１−１）がデータであることを解読し、それをバッファ２３−１へ送る。
（手順０６）
ペイロード（ｐａｙｌｏａｄ１−１）は最初のバースト信号における最初のペイロードなので、バッファ２３−１での待ち時間なしに多重部２４を経て配線１８へ送信される。
（手順０７）
配線１８においてペイロード（ｐａｙｌｏａｄ１−１）の送信中に、ＰＣＳ復号部２１−２はペイロード（ｐａｙｌｏａｄ２−１）の受信およびパリティ（ｐａｒｉｔｙ２−１）の受信を終え、続いてペイロード（ｐａｙｌｏａｄ２−２）の受信を開始する。
（手順０８）
ＰＣＳ復号部２１−２は、受信し終えたパリティ（ｐａｒｉｔｙ２−１）を基にペイロード（ｐａｙｌｏａｄ２−１）にビットエラーがあった場合は修正してから、ペイロード（ｐａｙｌｏａｄ２−１）をＰＯＮ信号処理部２２−２へ送る。
（手順０９）
ＰＯＮ信号処理部２２−２は、受信したペイロード（ｐａｙｌｏａｄ２−１）がデータであることを解読し、それをバッファ２３−２へ送る。
（手順１０）
バッファ２３−２へ送信されたペイロード（ｐａｙｌｏａｄ２−１）は、配線１８におけるペイロード（ｐａｙｌｏａｄ１−１）の送信が終わるまでのパリティ２個分の時間（Ｔｐ×２／３）だけ、バッファ２３−２で送信待ちをし、配線１８におけるペイロード（ｐａｙｌｏａｄ１−１）の送信が終わると同時に、ペイロード（ｐａｙｌｏａｄ２−１）はバッファ２３−２から多重部２４を経て配線１８へ送信される。
（手順１１）
配線１８においてペイロード（ｐａｙｌｏａｄ２−１）の送信中に、ＰＣＳ復号部２１−２はペイロード（ｐａｙｌｏａｄ２−２）およびパリティ（ｐａｒｉｔｙ２−２）の受信を終え、続いてペイロード（ｐａｙｌｏａｄ２−３）の受信を開始する。
（手順１２）
ＰＣＳ復号部２１−２は、受信し終えたパリティ（ｐａｒｉｔｙ２−２）を基にペイロード（ｐａｙｌｏａｄ２−２）にビットエラーがあった場合は修正してから、ペイロード（ｐａｙｌｏａｄ２−２）をＰＯＮ信号処理部２２−２へ送る。
（手順１３）
ＰＯＮ信号処理部２２−２は、受信したペイロード（ｐａｙｌｏａｄ２−２）がデータであることを解読し、それをバッファ２３−２へ送る。
（手順１４）
バッファ２３−２へ送信されたペイロード（ｐａｙｌｏａｄ２−２）は、配線１８におけるペイロード（ｐａｙｌｏａｄ２−１）の送信が終わるまでのパリティ１個分の時間（Ｔｐ×１／３）だけ、バッファ２３−２で送信待ちをし、配線１８におけるペイロード（ｐａｙｌｏａｄ２−１）の送信が終わると同時に、ペイロード（ｐａｙｌｏａｄ２−２）はバッファ２３−２から多重部２４を経て配線１８へ送信される。
（手順１５）
配線１８においてペイロード（ｐａｙｌｏａｄ２−２）の送信中に、ＰＣＳ復号部２１−２はペイロード（ｐａｙｌｏａｄ２−３）の受信を終えるとともに、配線１８におけるペイロード（ｐａｙｌｏａｄ２−２）の送信終了と同時にパリティ（ｐａｒｉｔｙ２−３）の受信を終える。
（手順１６）
ＰＣＳ復号部２１−２は、受信し終えたパリティ（ｐａｒｉｔｙ２−３）を基にペイロード（ｐａｙｌｏａｄ２−３）にビットエラーがあった場合は修正してから、ペイロード（ｐａｙｌｏａｄ２−３）をＰＯＮ信号処理部２２−２へ送信する。
（手順１７）
ＰＯＮ信号処理部２２−２は、受信したペイロード（ｐａｙｌｏａｄ２−３）がデータであることを解読し、それをバッファ２３−２へ送る。
（手順１８）
バッファ２３−２はちょうど空の状態であるとともに配線１８は未送信状態になる段階なので、ペイロード（ｐａｙｌｏａｄ２−３）はバッファ２３−２での待ち時間なしに多重部２４を経て配線１８へ送信される。
【００４３】
以上のように、多重部２４がデータを配線１８に集めたときに、あるデータの直前が異なるＰＯＮ１１からのデータである場合、例えば、バースト信号Ｂ２に含まれるデータの直前がバースト信号Ｂ１に含まれるデータである場合、制御部３２は、互いの上りバースト信号を重複させるように送信タイミングを決定する。具体的には、制御部３２は、バースト信号Ｂ１のＦＥＣコードワード部分に、バースト信号Ｂ２のＦＥＣコードワード部分を、最大で、バースト信号Ｂ２のＦＥＣコードワード部分に含まれる全ての冗長符号化分の送信時間の合計だけ重畳させるように上りバースト信号を送信するＯＮＵ１５の上り送信タイミングを決定する。
【００４４】
制御部３２がこのような上り送信タイミングを決定することで、通信システム３０１は、配線１８において、各バースト信号のペイロードを互いに時間的に重なりあうことなく、且つ未送信時間も低減して連続的に送信できる。したがって、本送信制御を適用している集線機能付きＯＬＴ１４０を用いた通信システム３０１は、本送信制御を用いない場合と比べて各ＰＯＮ１１の帯域を有効に利用できる。
【００４５】
また、任意のバースト信号における各ペイロードの集線機能付きＯＬＴ１４０での最大待ち時間は、
ＰＣＳ復号部２１でのＦＥＣ復号に伴うＦＥＣパリティ１個分の送信時間と、
本送信制御に伴う、｛（そのバースト信号に含まれる全ＦＥＣパリティ数）−１｝個分のパリティの送信時間と、
の和である。このため、ＯＬＴ１４０の各々のバッファ２３は、
｛（バースト信号１個あたりの、最大ＦＥＣコードワード数）−１｝×（パリティ１個あたりのビット数）                                            ・・・（１）
と同程度の容量でよい。具体的には、バッファ２３は、式（１）で算出される容量に任意の少量の余剰ビット数、例えば、算出された容量の１０％程度を加算した容量とすることが望ましい。
【符号の説明】
【００４６】
１０、１０−１、１０−２：光伝送路
１１：ＰＯＮ
１２：Ｌ２ＳＷ（レイヤ２スイッチ）
１３：ＯＳＵ
１４、１４’：ＯＬＴ
１５：ＯＮＵ
１６：光スプリッタ
１７、１７ａ、１７ｂ：ファイバ
１８：配線
２０：コアネットワーク
２１、２１−１、２１−２：ＰＣＳ復号部
２２、２２−１、２２−２：ＰＯＮ信号処理部
２３、２３−１、２３−２：バッファ
２４：多重部
３１、３１−１、３１−２：インターフェース
３２：制御部
３３：集線部
１４０：ＯＬＴ
３０１：通信システム
ｐ：ポート
【図１】
0005504087.tif 000002
【図２】
0005504087.tif 000003
【図３】
0005504087.tif 000004
【図４】
0005504087.tif 000005
【図５】
0005504087.tif 000006
【図６】
0005504087.tif 000007
【図７】
0005504087.tif 000008
【図８】
0005504087.tif 000009